(57)【要約】【課題】逆転防止機構の切換レバーが誤作動するのを防止し、切換レバーに釣糸が絡むのを好適に防止する。【解決手段】リール本体１に設けられ、釣糸の繰り出し方向となる回転体の逆回転を防止する逆転防止機構２０と、リール本体１の後部に移動操作可能に設けられ、逆転防止機構２０を逆転防止状態と正逆転可能状態とに切り換える切換レバー５０を有する切換機構４０と、を備え、リール本体１の後部には、切換レバー５０を収容可能な凹部１ａが設けられており、切換レバー５０は、逆転防止状態または正逆転可能状態のいずれかに移動操作された状態で、少なくとも凹部１ａ内に位置することを特徴とする。【選択図】図１
2009106228.tif 000002
【特許請求の範囲】
【請求項１】
リール本体に設けられ、釣糸の繰り出し方向となる回転体の逆回転を防止する逆転防止機構と、前記リール本体の後部に移動操作可能に設けられ、前記逆転防止機構を逆転防止状態と正逆転可能状態とに切り換える切換レバーを有する切換機構と、を備え、
前記リール本体の後部には、前記切換レバーを収容可能な凹部が設けられており、
前記切換レバーは、前記逆転防止状態または前記正逆転可能状態のいずれかに移動操作された状態で、少なくとも前記凹部内に位置することを特徴とする魚釣用リール。
【請求項２】
前記切換レバーは、前記凹部内に位置するように移動操作された状態で、その長手方向後面が前記脚部の後面部と滑らかに連なる外表面を形成することを特徴とする請求項１に記載の魚釣用リール。
【請求項３】
前記切換レバーは、前記逆転防止状態に移動操作された状態で、前記凹部内に位置するように構成されていることを特徴とする請求項１または請求項２に記載の魚釣用リール。
【請求項４】
前記切換レバーは、前記凹部内に位置するように移動操作された状態で、前記リール本体の後部側から見たときに、前記凹部の底面の幅内に収まる大きさに形成されることを特徴とする請求項１から請求項３のいずれか１項に記載の魚釣用リール。
【発明の詳細な説明】
【技術分野】
【０００１】
本発明は、魚釣用リールに関する。
【背景技術】
【０００２】
従来、例えば、魚釣用リールとしての魚釣用スピニングリールは、リール本体に回転可能に設けられたハンドルの回転操作によって、釣糸案内部を有するロータ等の回転体を連動回転させて釣糸を巻き取り、巻き取った釣糸をスプールに巻回するように構成されている。そして、一般に、リール本体には、ロータの回転状態を、逆転防止状態と正逆転可能状態とに切換える逆転防止機構が設けられている。
このような逆転防止機構を備えた魚釣用リールは、ロータの回転状態を、逆転防止状態と正逆転可能状態との双方の状態に交互に切換える切換機構を備えている。このような切換機構は、逆転防止機構に連結され、リール本体に設けた切換レバーの回転操作を通じて逆転防止状態と正逆転可能状態とに切換操作される（例えば特許文献１参照）。
【０００３】
通常、切換レバーは、リール本体の後部等の釣人が操作し易い位置に設けられている。
そして、実釣時には、逆転防止機構の切換レバーを逆転防止位置に切換えておくのが一般的であり、積極的に釣糸を繰り出す等の必要が生じた場合や、釣糸の垂らし長さを微調整する等の必要が生じた場合に、切換レバーを正逆転可能位置に切換えてロータの釣糸繰り出し方向への逆回転を許容して、ハンドルを正回転および逆回転の双方の方向に必要なだけ回転しつつ最適の釣糸の繰り出し長さとすることが行われている。
【特許文献１】実開昭６２−９１９７４号公報
【発明の開示】
【発明が解決しようとする課題】
【０００４】
しかしながら、従来の魚釣用リールでは、前記したように、切換レバーが釣人の操作し易い位置に設けられているため、例えば、実釣時に、釣人の手や衣服等が触れることで、不意に切換レバーが正逆転可能位置に切換わることがあった。このように、正逆転可能位置に切換レバーが切換わると、スプールから釣糸が解けてハンドルやロータに絡まるだけでなく、解けた釣糸が切換レバーに絡む虞があった。また、魚の引きや仕掛けの負荷等によって、ロータおよびこれに連動するハンドルが急激に逆回転する虞もある。
また、実釣時に、潮の流れや風等で釣糸が流されたり、重りが着底したりして釣糸が弛む現象、いわゆる糸ふけを生じた場合にも、切換レバーに釣糸が絡む虞があった。
【０００５】
本発明は、前記課題を解決するためになされたものであり、逆転防止機構の切換レバーが誤作動するのを防止することができ、かつ、切換レバーに釣糸が絡むのを好適に防止することができる魚釣用リールを提供することを課題とする。
【課題を解決するための手段】
【０００６】
このような課題を解決する本発明の魚釣用リールは、リール本体に設けられ、釣糸の繰り出し方向となる回転体の逆回転を防止する逆転防止機構と、前記リール本体の後部に移動操作可能に設けられ、前記逆転防止機構を逆転防止状態と正逆転可能状態とに切り換える切換レバーを有する切換機構と、を備え、前記リール本体の後部には、前記切換レバーを収容可能な凹部が設けられており、前記切換レバーは、前記逆転防止状態または前記正逆転可能状態のいずれかに移動操作された状態で、少なくとも前記凹部内に位置することを特徴とする。
【０００７】
この魚釣用リールによれば、切換レバーを逆転防止状態または正逆転可能状態のいずれかに移動操作すると、切換レバーがリール本体の後部に設けられた凹部内に位置して凹部内に収容された状態となる。したがって、逆転防止機構の逆転防止状態または正逆転可能状態のいずれかの状態において、切換レバーがリール本体の後部から突出することがなくなり、切換レバーに釣人の手や衣服等が触れ難くなる。また、切換レバーに釣糸が引っ掛かり難くなる。
【０００８】
また、前記切換レバーは、前記凹部内に位置するように移動操作された状態で、その長手方向後面が前記脚部の後面部と滑らかに連なる外表面を形成する構成とするのがよい。
【０００９】
この魚釣用リールによれば、リール本体の後部における切換レバーの突出が好適に抑えられ、切換レバーに釣人の手や衣服等がより一層触れ難くなり、釣糸がより一層絡まり難くなる。
また、切換レバーの長手方向後面が脚部の後面部と滑らかに連なる外表面を形成するので、リール本体の後部に切換レバーが設けられる構成でありながら、脚部からリール本体の後部へ向けて緩やかに流れるような外形状を有するように構成することができる。
【００１０】
前記切換レバーは、前記逆転防止状態に移動操作された状態で、前記凹部内に位置するように構成するのがよい。
【００１１】
この魚釣用リールによれば、逆転防止状態において、切換レバーが凹部内に収容されることとなり、切換レバーに釣人の手や衣服等が触れ難く、また、切換レバーに釣糸が絡まり難くなる。
【００１２】
また、前記切換レバーは、前記凹部内に位置するように移動操作された状態で、前記リール本体の後部側から見たときに、前記凹部の底面の幅内に収まる大きさに形成される構成とするのがよい。
【００１３】
この魚釣用リールによれば、切換レバーは、凹部内に収容された状態で、リール本体の後部の幅方向にも突出することがなくなる。これにより、切換レバーに釣人の手や衣服等が触れ難くなり、また、切換レバーに釣糸が絡まり難くなる。
【発明の効果】
【００１４】
本発明によれば、逆転防止機構の逆転防止状態または正逆転可能状態のいずれかの状態において、切換レバーがリール本体の後部に設けられた凹部内に収容されて切換レバーに釣人の手や衣服等が触れ難くなるので、切換レバーが誤作動するのを防止することができる。また、切換レバーに釣糸が引っ掛かり難くなるので、釣糸が弛む糸ふけを生じた場合にも、切換レバーに釣糸が絡む虞がない。
【００１５】
また、本発明によれば、切換レバーの長手方向後面が脚部の後面部と滑らかに連なる外表面を形成する構成であるので、切換レバーに釣人の手や衣服等がより好適に触れ難くなり、切換レバーが誤作動するのをより好適に防止することができる。また、切換レバーに釣糸が引っ掛かり難くなるので、釣糸が弛む糸ふけを生じた場合にも、切換レバーに釣糸が絡むのを好適に防止することができる。
また、脚部からリール本体の後部へ向けて緩やかに流れるような外形状とすることができるので、意匠性に優れた魚釣用リールが得られる。
【００１６】
また、本発明によれば、逆転防止状態において、切換レバーが凹部内に収容されるように構成することで、一般的に、実釣時において多用される逆転防止状態において切換レバーを凹部内に位置させることができ、実釣時に切換レバーに釣人の手や衣服等が触れて切換レバーが誤作動するのをより一層好適に防止することができる。また、釣糸が弛む糸ふけを生じた場合にも、切換レバーに釣糸が引っ掛かり難く、切換レバーに釣糸が絡むのをより一層好適に防止することができる。
【００１７】
また、本発明によれば、凹部内に切換レバーが位置するように移動操作された状態で、リール本体の後部側から見たときに、切換レバーが凹部の底面の幅内に収まる大きさに形成される構成とすることで、リール本体の後部の幅方向にも突出することがなくなるので、実釣時に切換レバーに釣人の手や衣服等が触れて切換レバーが誤作動するのをより一層好適に防止することができる。また、釣糸が弛む糸ふけを生じた場合にも、切換レバーに釣糸が引っ掛かり難く、切換レバーに釣糸が絡むのをより一層好適に防止することができる。
【発明を実施するための最良の形態】
【００１８】
以下、本発明に係る魚釣用リールの実施の形態について図面を参照しながら説明する。
（第１実施形態）
参照する図面において、図１は本発明の第１実施形態に係る魚釣用リールとしての魚釣用スピニングリールの内部構成を示す側面図、図２は主要部の構成を拡大して示した斜視図、図３（ａ）（ｂ）は主要部の構成をリール本体の後方側から見た状態で示した説明図である。なお、同一の要素には同一の符号を付し、重複する説明は省略する。また、以下の説明において、「前、後」「左、右」「上、下」の語は、スピニングリールを図示しない釣竿に取り付けた状態を基準として用いている。つまり、例えば、後記するスプール３が設けられる側が「前」側であり、後記する切換レバー５０が設けられる側が「後」側である。
【００１９】
図１に示すように、主として、魚釣用スピニングリールは、図示しない釣竿に装着するための脚部１Ａが形成されたリール本体１と、リール本体１の前方に回転可能に設けられたロータ２（回転体）と、このロータ２の回転運動と同期して前後方向移動可能に設けられたスプール３とを有して構成される。
【００２０】
リール本体１には、図示しない軸受を介してハンドル軸４が回転可能に支持されており、その図示しない突出端部には、巻き取り操作されるハンドル５が取り付けられている。ハンドル軸４には、駆動軸筒６ａが、回り止めされて固定されている。駆動軸筒６ａには、ロータ２を巻き取り駆動するための内歯が形成されたドライブギャ６が一体的に形成されている。このドライブギャ６は、ハンドル軸４と直交する方向に延出するとともに内部に軸方向に延出する空洞部を有する駆動軸筒８のピニオンギャ８ａに噛合している。
【００２１】
駆動軸筒８は、軸受を介して回転可能に支持されており、その空洞部には、ハンドル軸４と直交する方向に延出し、先端側にスプール３を取り付けたスプール軸９が、軸方向に移動可能に挿通され、支持されている。
【００２２】
また、駆動軸筒８には、スプール軸９を前後動させるためのウォームシャフト方式の駆動機構１０が係合している。この駆動機構１０は、スプール軸９と平行に延出する螺軸１１と、この螺軸１１の外周面に形成された螺旋溝１１ａに係合するとともにスプール軸９の後端部にねじ止めして取り付けられた摺動子１２とを有している。
螺軸１１の前端部には、駆動軸筒８のピニオンギャ８ａに噛合する連動歯車１３が取り付けられている。これにより、ハンドル５の回転操作により、螺軸１１がピニオンギャ８ａおよび連動歯車１３を介して回転駆動されることで、スプール軸９は、螺旋溝１１ａに案内される摺動子１２を介して前後動される。
【００２３】
駆動軸筒８はスプール３側に向けて延出しており、その前端部において、図示しないナットを介してロータ２が取り付けられている。
そして、リール本体１の内部には、このロータ２の釣糸の繰り出し方向への逆回転を防止する逆転防止機構３０と、逆転防止機構３０を作動状態（逆転防止状態）と非作動状態（正逆転可能状態）とに切り換える切換レバー５０を有する切換機構４０と、が設けられている。
【００２４】
逆転防止機構３０は、駆動軸筒８に回止め係合された逆転防止歯車３１と、この逆転防止歯車３１に係脱可能に設けられた係止部材３２と、を備えている。係止部材３２は、ドライブギャ６の駆動軸筒６ａに装着したフリクションバネ３３によって、ハンドル５が巻き取り方向に回動操作されたときに、逆転防止歯車３１との係止状態が解除される方向に付勢されるとともに、ハンドル５が繰り出し方向に回動操作されたときに、逆転防止歯車３１に係止される方向に付勢されるようになっている。係止部材３２の後端部には、切換機構４０の後記する操作軸４１に形成された半円状の作動部４３に当接する係合部３４が設けられており、係止部材３２は、この係合部３４が作動部４３に当接して回動移動するときに、逆転防止歯車３１から離間するようになっている。
逆転防止機構３０は、他の例として、切換レバー５０を回転操作することで、公知の例えば、リール本体１の前部に設けた転がり式一方向クラッチからなる逆転防止機構に連結させて、逆転防止状態と正逆転可能状態とに切換可能に構成してもよく、特に限定されるものではない。
【００２５】
切換機構４０は、操作軸４１と、この操作軸４１の中間部に設けられ、係止部材３２の係合部３４が係合する作動部４３と、操作軸４１の後端に取り付けられた、本願発明の特徴的構成である切換レバー５０と、を備えている。操作軸４１は、スプール軸９と平行に配置されてリール本体１に回動可能に挿着されており、切換レバー５０の回動操作に基づいて回動する。
本実施形態では、切換レバー５０が図１に示すように縦向きとなるように操作（回動操作）されたときに、係合部３４は作動部４３に係合せず、係止部材３２が逆転防止歯車３１に係止するようになっている。
したがって、切換レバー５０が図３（ａ）に示すように縦向きとなるように操作されたときに、ロータ２の釣糸繰り出し方向の逆回転が防止される、逆転防止状態となるように構成されている。
【００２６】
一方、切換レバー５０が、図３（ｂ）に示すように、縦向きの状態から約９０度回動操作されて横向きとなるようにされたときには、係合部３４が作動部４３に当接して押し下げられ、係止部材３２が図１において時計回り方向に回動して逆転防止歯車３１との係止状態が解除される。このように、切換レバー５０が、図３（ｂ）に示すように、横向きとなるように操作されたときに、ロータ２の釣糸の巻き取り方向の回転および釣糸の繰り出し方向への逆回転のいずれもが許容される、正逆転可能状態となるように構成されている。
なお、切換レバー５０は、横向きにされると、凹部１ａから側方へツマミ部５２が大きく突出する状態となるため、切換状態の位置関係が一目で容易に視認することができ、正逆転可能状態であることを容易に認識することができる。これによって、実釣時の正逆転可能状態における不意の釣糸の繰り出し等によるトラブルを未然に防止することができる。
【００２７】
切換レバー５０は、このように、逆転防止機構３０を逆転防止状態と正逆転可能状態とに切り換えるためものであり、切換機構４０の操作軸４１の後端部に固定されて、リール本体の後部に回動操作可能に設けられている。
本実施形態では、リール本体１の後部に切換レバー５０を収容可能な凹部１ａが設けられており、切換レバー５０は、逆転防止状態に回動操作された状態で、凹部１ａ内に位置するように構成されている。
【００２８】
切換レバー５０は、図２に示すように、操作軸４１に固定される基部５１と、この基部５１に一体的に連続するツマミ部５２とからなり、凹部１ａ内に位置するように回動操作された状態で、ツマミ部５２から基部５１にかけての長手方向後面５０ａが、脚部１Ａの後面部１Ａ’と滑らかに連なる外表面を形成するように構成されている。換言すれば、凹部１ａは、切換レバー５０の長手方向後面５０ａが脚部１Ａの後面部１Ａ’と滑らかに連なるように、切換レバー５０を収容することが可能な深さ（収容深さ）を備えて形成されている。つまり、操作しやすいように、リール本体１の後部に切換レバー５０が設けられる構成でありながら、リール本体１の後部に切換レバー５０が収容されて外部に突出しない構成となっている。
【００２９】
また、切換レバー５０は、図３（ａ）に示すように、凹部１ａ内に位置するように回動操作された状態で、リール本体１の後部側から見たときに、凹部１ａの底面１ｂの幅Ｄ内に収まる大きさに形成されている。ここで、底面１ｂは、図４（ａ）において斜線で表示したように、略平らに形成されている。本実施形態では、リール本体１が、リールボディ１Ｂと、このリールボディ１Ｂに装着される蓋部材１Ｃとから構成されており、前記した底面１ｂは、リールボディ１Ｂ側に形成されている。この例では、リールボディ１Ｂと、蓋部材１Ｃとの境界部分１Ｄが底面１ｂの左端部を形成するようにしてある。底面１ｂには、ボス部１ｅが設けられており、このボス部１ｅを介してリール本体１の内部から図示しない操作軸４１が延出され、この操作軸４１の後端に切換レバー５０が固定されるようになっている。
【００３０】
ボス部１ｅの中空部１ｆには、中空部１ｆの内径よりも大径とされた半円状の凹部１ｇが形成されている。一方、切換レバー５０の基部５１の前部には、操作軸４１の後端部が挿入されて係止される円筒部５３が設けられており、この円筒部５３の外周部には、ボス部１ｅの半円状の凹部１ｇに挿入可能な周面を有する扇状の突部５４が設けられている。
この突部５４は、図４（ｂ）に示すように、切換レバー５０を図中矢印Ｘ１方向に回動させたときに、その一側部５４ａが、凹部１ｇの上端１ｈに当接可能であり、また、図４（ｃ）に示すように、切換レバー５０を図中矢印Ｘ２方向に回動させたときに、その他端部５４ｂが、凹部１ｇの下端１ｊに当接可能である。
本実施形態では、突部５４の一側部５４ａが凹部１ｇの上端１ｈに当接するときに、切換レバー５０が縦向きにされてリール本体１の凹部１ａ内に全体が位置する逆転防止状態となるように設定されており、また、突部５４の他端部５４ｂが凹部１ｇの下端１ｊに当接するときに、切換レバー５０が９０度回動して横向きにされて、正逆転可能状態となるように設定されている。
【００３１】
また、図１に示すように、リール本体１を側面からみたときに、切換レバー５０は、リール本体１の駆動機構１０を収容するカバー部材１Ｅよりも前方に位置しており、カバー部材１Ｅの後部上端と脚部１Ａの後面部１Ａ’とを結ぶ接線（不図示）よりも前方に位置してカバー部材１Ｅと脚部１Ａとの間の窪んだ部位に位置しているので、リール本体１の後部側から仮に障害物等が当っても、衝撃を受け難く、切換機能が損なわれ難いという利点を有している。
【００３２】
以上説明した本実施形態の魚釣用リールによれば、図３（ａ）に示すように、切換レバー５０を逆転防止状態に回動操作すると、切換レバー５０がリール本体１の後部に設けられた凹部１ａ内に位置して凹部１ａ内に収容された状態となる。したがって、一般的に、実釣時において多用される逆転防止状態において切換レバー５０を凹部１ａ内に位置させることができ、実釣時に切換レバー５０に釣人の手や衣服等が触れ難くなり、手や衣服等が不意に触れる等して切換レバー５０が誤作動するのを防止することができる。また、切換レバー５０に釣糸が引っ掛かり難くなるので、釣糸が弛む糸ふけを生じた場合にも、切換レバー５０に釣糸が絡む虞がない。
【００３３】
また、切換レバー５０は、凹部１ａ内に位置するように回動操作された状態で、その長手方向後面５０ａが脚部１Ａの後面部１Ａ’と滑らかに連なる外表面を形成するので、リール本体１の後部における切換レバー５０の突出が好適に抑えられ、切換レバー５０に釣人の手や衣服等がより一層触れ難くなり、釣糸がより一層絡まり難くなる。
また、切換レバー５０の長手方向後面５０ａが脚部１Ａの後面部１Ａ’と滑らかに連なる外表面を形成するので、脚部１Ａからリール本体１の後部へ向けて緩やかに流れるような外形状とすることができ、意匠性に優れた魚釣用リールが得られる。
【００３４】
また、切換レバー５０は、凹部１ａ内に位置するように回動操作された状態で、リール本体１の後部側から見たときに、凹部１ａの底面１ｂの幅Ｄ内に収まる大きさに形成されているので、リール本体１の後部の幅方向にも突出することがなくなる。これにより、実釣時に切換レバー５０に釣人の手や衣服等が触れて切換レバー５０が誤作動するのをより一層好適に防止することができる。また、釣糸が弛む糸ふけを生じた場合にも、切換レバー５０に釣糸が引っ掛かり難く、切換レバーに釣糸が絡むのをより一層好適に防止することができる。
【００３５】
（第２実施形態）
図５（ａ）は本発明の第２実施形態に係る魚釣用リールとしての魚釣用スピニングリールの要部を示す斜視図、図５（ｂ）は同じく主要部の構成をリール本体の後面側から見た状態で示した説明図である。本実施形態が前記第１実施形態と異なるところは、切換レバー６０のツマミ部６２を第１実施形態の切換レバー５０よりも幅方向（左右方向）に細く形成し、その左右にツマミ凹部６２ａ，６２ｂ（図５（ｂ）参照）を形成した点にある。
【００３６】
図５（ａ）（ｂ）に示すように、本実施形態における切換レバー６０は、図示しない操作軸４１に固定される基部６１と、この基部６１に一体的に連続するツマミ部６２とからなり、前記実施形態と同様に、凹部１ａ内に位置するように回動操作された状態で、ツマミ部６２から基部６１にかけての長手方向後面６０ａが、脚部１Ａの後面部１Ａ’と滑らかに連なる外表面を形成するように構成されている。換言すれば、凹部１ａは、切換レバー６０の長手方向後面６０ａが脚部１Ａの後面部１Ａ’と滑らかに連なるように、切換レバー６０を収容することが可能な深さ（収容深さ）を備えて形成されている。つまり、操作しやすいように、リール本体１の後部に切換レバー５０が設けられる構成でありながら、リール本体１の後部に切換レバー６０が収容されて外部に突出しない構成となっている。
【００３７】
切換レバー６０の左側部において、基部６１とツマミ部６２との境界部分には、ツマミ凹部６２ａが形成されている。このツマミ凹部６２ａは、切換レバー６０を縦向きから横向きに回動操作する際（図６（ａ）参照）に、指当て部として機能するようになっている。また、切換レバー６０の右側部において、ツマミ部６２の中ほど下寄りの部分には、凹部６２ｂが形成されている。この凹部６２ｂは、切換レバー６０を横向きに回動操作した際に、図６（ｂ）に示すように、ツマミ部６２がリールボディ１Ｂのフランジ部１Ｂ’に当接するのを回避する逃げ部として機能するようになっている。また、凹部６２ｂは、切換レバー６０を横向きから縦向きに回動操作する際の指掛け部として機能するようになっている。
【００３８】
このような切換レバー６０を備えた魚釣用リールによれば、切換レバー６０の縦向きから横向きへの回動操作が行い易くなるとともに、切換レバー６０の横向きから縦向きへの回動操作も行い易くなる。これによって、操作性に優れた魚釣用リールが得られる。
また、ツマミ部６２に凹部６２ｂが形成されているので、切換レバー６０を横向きに回動操作した際に、ツマミ部６２がフランジ部１Ｂ’に当接することがなく、切換レバー６０の横向き姿勢を好適に得ることができる。したがって、切換レバー６０の回動角度（９０度）を好適に確保することができ、切換レバー６０の回動による逆転防止機構３０の確実な作動を実現することができる。これにより、切換レバー６０が誤作動するのを防止することができる。
【００３９】
なお、前記実施形態では、切換レバー５０が凹部１ａ内に位置するときに、逆転防止状態となるように構成した例を示したが、これに限られることはなく、切換レバー５０が凹部１ａ内に位置するときに、ロータ２が正逆転可能状態となるように構成してもよい。
このように構成することによって、実釣時の魚とのかけひきにおいて、積極的に釣糸を繰り出したり釣糸を巻き取ったりする操作時や、釣糸の垂らし長さを微調整する等の操作時に、切換レバー５０をリール本体１の後部の凹部１ａ内に位置させることができ、切換レバー５０に釣糸が引っ掛かり難くなるようにすることができる。したがって、釣糸が弛む糸ふけを生じた場合にも、切換レバー５０に釣糸が絡む虞がない。
なお、ツマミ凹部６２ａ，６２ｂの大きさや深さを適宜設定することにより、操作時の指掛かり深さを調節することができ、良好な操作フィーリングを得ることができる。
【００４０】
また、前記実施形態では、リールボディ１Ｂ側に凹部１ａおよび底面１ｂを設けたが、蓋部材１Ｃをリールボディ１Ｂ側に延設して、蓋部材１Ｃに凹部１ａおよび底面１ｂを設けてもよく、また、リールボディ１Ｂと蓋部材１Ｃとで、凹部１ａおよび底面１ｂを設けてもよい。
【００４１】
また、前記実施形態では、切換レバー５０，６０を回動操作可能に設けたが、スライド移動により逆転防止状態および正逆転可能状態に切り換るように構成した切換レバーを備えて構成してもよい。
【００４２】
また、切換レバー５０，６０は、凹部１ａ内に完全に収容されるものに限られることはなく、長手方向後面５０ａ，６０ａの少なくとも一部が脚部１Ａの後面部１Ａ’と略滑らかとなるようにして、凹部１ａ内から若干突出するように構成してもよい。
【図面の簡単な説明】
【００４３】
【図１】本発明の第１実施形態に係る魚釣用リールとして魚釣用スピニングリールの内部構成を示す側面図である。
【図２】主要部の構成を拡大して示した拡大図である。
【図３】（ａ）（ｂ）は主要部の構成をリール本体の後方側から見た状態で示した説明図である。
【図４】（ａ）は切換レバーを外した状態のリール本体の後部を示す斜視図、（ｂ）逆転防止状態におけるボス部内の様子を示した模式図、（ｃ）は正逆転可能状態におけるボス部内の様子を示した模式図である。
【図５】（ａ）は本発明の第２実施形態に係る魚釣用リールとしての魚釣用スピニングリールの要部を示す斜視図、（ｂ）は同じく主要部の構成をリール本体の後面側から見た状態で示した説明図である。
【図６】（ａ）は切換レバーの操作の様子を示す斜視図、（ｂ）は切換レバーを横向きにしたときの様子を示す説明図である。
【符号の説明】
【００４４】
１      リール本体
１Ａ    脚部
１Ａ’  後面部
１Ｂ    リールボディ
１Ｂ’  フランジ部
１Ｃ    蓋部材
１ａ    凹部
１ｂ    底面
４      ハンドル軸
５      ハンドル
３０    逆転防止機構
４０    切換機構
４１    操作軸
５０    切換レバー
５０ａ  長手方向後面
５１    基部
５２    ツマミ部
６０    切換レバー
６０ａ  長手方向後面
６１    基部
６２    ツマミ部
Ｄ      幅
【図１】
2009106228.tif 000003
【図２】
2009106228.tif 000004
【図３】
2009106228.tif 000005
【図４】
2009106228.tif 000006
【図５】
2009106228.tif 000007
【図６】
2009106228.tif 000008